(57)【要約】  携帯端末（１０１）から送信された携帯画面の画像を２台の車載端末の画面に分割表示する場合、車載端末Ａ（１０２）の画像受信部Ａ（２１）が、両方の車載端末の画面表示に必要な画像データを携帯端末（１０１）から受け取り、車載端末Ｂ（１０３）に必要な画像データをバッファメモリ部（２３）に蓄える。その後、切取り処理部（２５）が車載端末Ａ（１０２）の表示画面の画像データを切り取ってバッファメモリ部（２３）に蓄える。そして、画像送信部Ａ（２６）が、車載端末Ｂ（１０３）からの要求時に車載端末Ｂ（１０３）が画面表示に必要な画像データを提供する。
2013145580.tif 000002
【特許請求の範囲】
【請求項１】
携帯端末から送信された携帯画面の画像を、第１の車載端末の画面と第２の車載端末の画面とに分割して表示する情報表示装置であって、
前記携帯端末から送信された画面データを、前記第１の車載端末がまとめて取得する画像データ取得手段と、
前記画像データ取得手段が取得した画面データを、前記第１の車載端末への表示と前記第２の車載端末への表示に必要な画面データに振り分ける画面データ振分け手段と、
前記画像データ振分け手段が振り分けた画面データをそれぞれ蓄える振分け画像保存手段と、
前記第２の車載端末からの要求に応じて、前記振分け画像保存手段に振り分けて蓄えられた画像データのうち、前記要求に対応した画像データを、前記第２の車載端末へ送信する画像データ送信手段と、
を備える情報表示装置。
【請求項２】
前記第２の車載端末の画面情報に基づいて、前記第１の車載端末の画面データを切り取る画像データ切取り手段と、
前記画像データ切取り手段が切り取った画面データを蓄える切取り画像保存手段とをさらに備える請求項１に記載の情報表示装置。
【請求項３】
車両の走行規制の有無により画面データの振り分け方法を変更する振分け方法変更手段をさらに備える請求項１に記載の情報表示装置。
【請求項４】
車両の走行規制の有無によって前記第２の車載端末の画面情報を変更する画面情報変更手段をさらに備える請求項１に記載の情報表示装置。
【発明の詳細な説明】
【技術分野】
【０００１】
本発明は、携帯端末の画面表示内容を複数の車載端末の画面に表示する情報表示装置に関する。
【背景技術】
【０００２】
ユーザに対して、地理的情報、楽曲情報、及びインターネット情報などを提供する表示装置として、車載型あるいは携帯型のカーナビゲーション装置や情報端末装置などが広く普及している。さらに近年は、複数の表示装置に画像を表示させることが可能なカーナビゲーション装置や、携帯端末装置が生成した画面データを車載ディスプレイに対して表示する車載ディスプレイ制御装置などが知られている（例えば、特許文献１、及び特許文献２参照）。
【先行技術文献】
【特許文献】
【０００３】
【特許文献１】特開２００５−０４３６９５号公報（請求項１及び図１）
【特許文献２】特開２００９−２８１９９１号公報（請求項１及び図１）
【発明の概要】
【発明が解決しようとする課題】
【０００４】
しかしながら、従来の情報表示装置においては、１台の携帯端末の画面を複数の静止画に分割して、それぞれの車載端末に転送することで、２台の車載端末の画面に分割表示することが可能であるが、２台の車載端末の表示領域が重複する場合は、携帯端末は重複部分を含む矩形の画面データを両方の車載端末に送付する必要がある。さらに、２台の車載端末の表示更新間隔が非同期の場合は、一方が画面を更新する場合でも、両方の車載端末に画面データを送付する必要があるため、画像データの転送量が増加するという問題がある。また、車両の走行規制が必要な場合は、両方の車載端末で同様の処理を実行するため、処理負荷が増大するという問題がある。【０００５】
本発明の目的は、携帯端末の画面を２台の車載端末の画面に分割表示する場合に、画像データの転送量を最小限に抑え、かつ走行規制の処理負荷を軽減することができる情報表示装置を提供することである。
【課題を解決するための手段】
【０００６】
上記目的を達成するため、本発明に係る情報表示装置は以下のように構成されている。すなわち、本発明の情報表示装置は、携帯端末から送信された携帯画面の画像を、第１の車載端末の画面と第２の車載端末の画面とに分割して表示する情報表示装置であって、前記携帯端末から送信された画面データを、前記第１の車載端末がまとめて取得する画像データ取得手段と、前記画像データ取得手段が取得した画面データを、前記第１の車載端末への表示と前記第２の車載端末への表示に必要な画面データに振り分ける画面データ振分け手段と、前記画像データ振分け手段が振り分けた画面データをそれぞれ蓄える振分け画像保存手段と、前記第２の車載端末からの要求に応じて、前記振分け画像保存手段に振り分けて蓄えられた画像データのうち、前記要求に対応した画像データを、前記第２の車載端末へ送信する画像データ送信手段と、を備える構成を採る。
【発明の効果】
【０００７】
本発明によれば、携帯端末の画面を２台の車載端末の画面に分割表示するとき、２台の車載端末の表示領域が重複したり、表示更新の間隔が非同期となったりしても、画像データの転送量を最小限に抑えることができる。また、走行規制の処理負荷を軽減することもできる。
【図面の簡単な説明】
【０００８】
【図１】本発明の実施形態における情報表示装置の構成を示すブロック図
【図２】本発明の実施形態における情報表示装置の携帯端末の表示画面を示す説明図
【図３】本発明の実施形態における情報表示装置の車載端末Ａの表示画面を示す説明図
【図４】本発明の実施形態における情報表示装置の車載端末Ｂの表示画面を示す説明図
【図５】本発明実施形態における情報表示装置の処理の流れを示すフローチャート
【発明を実施するための形態】
【０００９】
以下、本発明の実施形態に係る情報表示装置について図面を参照しながら詳細に説明する。なお、実施形態を説明するための全図において、同一要素は原則として同一の符号を付し、その繰り返しの説明は省略する。
【００１０】
図１は、本発明の実施形態における情報表示装置の構成を示すブロック図である。図１において、情報表示装置１００は、１台の携帯端末１０１と２台の車載端末Ａ（第１の車載端末）１０２及び車載端末Ｂ（第２の車載端末）１０３とから構成されている。携帯端末１０１の画像生成部１１は、カーナビゲーション、音楽プレーヤ、及びブラウザ等のアプリケーションプログラムを実行して携帯画面に表示する画像データを生成する。表示メモリ部１２は、画像生成部１１で生成した画像データを保存する。
【００１１】
画像表示部１３は、表示メモリ部１２に保存された画像データを携帯画面に表示する。画像送信部１４は、表示メモリ部１２に保存された画像データのうち、車載端末Ａ１０２から要求された領域の画像データを車載端末Ａ１０２へ送信する。
【００１２】
図２は、本発明の実施形態における情報表示装置の携帯端末の表示画面を示す説明図である。図２において、携帯端末１０１の表示画面２０１は、車載端末Ａ１０２の画面データ領域２０２、及び車載端末Ｂ１０３の画面データ領域２０３、２０４を含む矩形である。図２の点Ｏ（０，０）を携帯端末１０１の表示画面２０１の位置の原点とすると、携帯端末１０１の画像送信部１４は、車載端末Ａ１０２の画面データ領域２０２として、車載端末Ａ１０２の画像データ領域２０２の切取位置である点Ｃ（ｘ１，ｙ１）と、車載端末Ａ１０の画像データ領域２０２の横縦の長さ（ｗ１，ｈ１）とを、車載端末Ａ１０２から要求される。また、携帯端末１０１の画像送信部１４は、車載端末Ｂ１０３の画面データ領域２０４として、車載端末Ｂ１０３の画像データ領域２０４の切取位置である点Ｄ（ｘ２，ｙ２）と車載端末Ｂ１０３の画像データ領域２０４の横縦の長さ（ｗ２，ｈ２）とを、車載端末Ａ１０２から要求される。
【００１３】
再び、図１に戻って、車載端末Ａ１０２の画像受信部Ａ（画像データ取得手段、及び画像データ振分け手段）２１は、車両の走行状態に応じて、車載端末Ａ１０２及び車載端末Ｂ１０３の画面表示に必要な領域を携帯端末１０１に要求し、携帯端末１０１より送信された画像データを受信して、車載端末Ａ１０２と車載端末Ｂ１０３とにそれぞれ必要な画像データに振り分ける。すなわち、画像受信部Ａ２１は、図２に示す車載端末Ｂ１０３の画面データ領域２０３及び画面データ領域２０４の画像データを、それぞれ、車載端末Ａ１０２及び車載端末Ｂ１０３に振り分ける。
【００１４】
表示メモリ部Ａ（振分け画像保存手段）２２は、画像受信部Ａ２１で振り分けた車載端末Ａ１０２の画面表示に必要な画像データを保存し、バッファメモリ部（切取り画像保存手段）２３は、画像受信部Ａ２１で振り分けた車載端末Ｂ１０３の画面表示に必要な画像データを保存する。画像表示部Ａ２４は、表示メモリ部Ａ２２に保存された画像データを車載端末Ａの画面に表示する。切取り処理部（画像データ切取り手段）２５は、画像受信部Ａ２１から要求された車載端末Ｂ１０３の画面表示に必要な領域の画像データを、表示メモリ部Ａ２２に保存された画像データから切取り、バッファメモリ部２３に保存する。
【００１５】
図３は、本発明の実施形態における情報表示装置の車載端末Ａの表示画面を示す説明図である。図３において、車載端末Ａ１０２の表示画面３０１は、車載端末Ａ１０２の画面データ領域３０２及び車載端末Ｂ１０３の画面データ領域３０３を含む矩形である。点Ｏ（０，０）を車載端末Ａ１０２の表示画面位置の原点とすると、表示メモリ部Ａ２２は、車載端末Ａ１０２の画面データ領域３０２を、車載端末Ａ１０２の画面データ領域３０２の配置位置である点Ｅ（ｘ３，ｙ３）と車載端末Ｂ１０３の画面データ領域３０３の横縦の長さ（ｗ３，ｈ３）の配置で保存する。また、切取り処理部２５は、車載端末Ｂ１０３の画面データ領域３０３を、車載端末Ｂ１０３の画面データ領域３０３の切取位置である点Ｆ（ｘ４，ｙ４）と車載端末Ｂ１０３の画面データ領域３０３の横縦の長さ（ｗ３，ｈ３）の位置で切り取って、バッファメモリ部２３に保存する。
【００１６】
再び図１に戻って、画像送信部Ａ（画像データ送信手段）２６は、車載端末Ｂ１０３から要求された画面表示に必要な領域を画像受信部Ａ２１に要求し、車両の走行状態に応じて、バッファメモリ部２３に保存された画像データを車載端末Ｂ１０３へ送信する。走行規制制御部（振分け方法変更手段、及び画像情報変更手段）２７は、速度やサイドブレーキのＯＮ／ＯＦＦ等の車載センサ情報をもとに車両の走行状態を判別し、画像受信部Ａ２１及び画像送信部Ａ２６に走行状態を伝える。
【００１７】
車載端末Ｂ１０３の画像受信部Ｂ３１は、該車載端末Ｂ１０３の画面表示に必要な領域を車載端末Ａ１０２に要求し、車載端末Ａ１０２より送信された画像データを受信する。表示メモリ部Ｂ３２は、画像受信部Ｂ３１が受信した画像データを保存し、画像表示部Ｂ３３は、表示メモリ部Ｂ３２に保存された画像データを車載端末Ｂ１０３の画面に表示する。
【００１８】
図４は、本発明の実施の形態における情報表示装置の車載端末Ｂ１０３の表示画面を示す説明図である。図４において、車載端末Ｂ１０３の表示画面４０１は、車載端末Ｂ１０３の画面データ領域４０２及び画面データ領域４０３を含む矩形である。点Ｏ（０，０）を車載端末Ｂ１０３の表示画面位置の原点とすると、画像受信部Ｂ３１は、車載端末Ｂ１０３の画面データ領域４０２及び車載端末Ｂ１０３の画面データ領域４０３を、それぞれ、車載端末Ｂ１０３の画面データ領域４０２の配置位置である点Ｇ（ｘ５，ｙ５）と車載端末Ｂ１０３の画面データ領域４０２の横縦の長さ（ｗ２，ｈ２）、及び車載端末Ｂ１０３の画面データ領域４０３の配置位置である点Ｈ（ｘ６，ｙ６）と車載端末Ｂ１０３の画面データ領域４０３の横縦の長さ（ｗ３，ｈ３）の配置で、表示メモリ部Ｂ３２に保存する。
【００１９】
以上のように構成された情報表示装置について、その処理動作をフローチャートの流れに従って説明する。図５は、本発明の実施形態における情報表示装置１００の処理の流れを示すフローチャートである。なお、図５において、ステップＳ１０１〜Ｓ１０５は携帯端末１０１の処理を、ステップＳ２０１〜Ｓ２１１は車載端末Ａ１０２の処理を、ステップＳ３０１〜Ｓ３０５の処理は車載端末Ｂ１０３の処理を、それぞれ表わしている。
【００２０】
最初に、携帯端末１０１の処理について、ステップＳ１０１〜Ｓ１０５を用いて説明する。先ず、携帯端末１０１は、ステップＳ１０１において配置属性情報送信処理を行う。ここでは、携帯端末１０１のアプリケーションプログラムが起動すると、最初に、携帯端末１０１から車載端末Ａ１０２へ、あらかじめ決められた携帯画面の配置情報と属性情報とを送信する。なお、配置情報は、携帯画面を構成する複数の矩形画像の横縦のサイズ（画素数）と左上の座標値とからなる画像情報であると定義する。また、属性情報は、携帯画面を構成する矩形画像の種類（地図、動画、操作ボタン、メニュー等）と定義する。
【００２１】
次に、ステップＳ１０２で、携帯端末１０１の画像生成部１１が、カーナビゲーション、音楽プレーヤ、またはブラウザ等のアプリケーションプログラムを実行して、携帯画面に表示する画像データを生成して表示メモリ部１２に書き込む。
【００２２】
次に、ステップＳ１０３で、画像表示部１３が、表示メモリ部１２からステップＳ１０２で生成したアプリケーション描画の画像データを読み込み、これを携帯画面に表示する。そして、ステップＳ１０４で、画像送信部１４が車載端末Ａ１０２からの画像データの要求の有無を確認し、要求がなければステップＳ１０２に戻る。
【００２３】
一方、ステップＳ１０４で車載端末Ａ１０２からの画像データの要求があれば、ステップＳ１０５で、画像送信部１４が、ステップＳ１０２で生成した画像データの要求された領域を、表示メモリ部１２から車載端末Ａ１０２へ送信した後に、ステップＳ１０２に戻る。
【００２４】
次に、車載端末Ａ１０２の処理について、ステップＳ２０１〜Ｓ２１１を用いて説明する。先ず、車載端末Ａ１０２は、ステップＳ２０１で配置属性情報受信処理を行い、ステップＳ２０２で矩形画像選択配置処理を行う。これらのステップＳ２０１、ステップＳ２０２の処理では、車載端末Ａ１０２が携帯端末１０１から携帯画面の配置情報と属性情報とを受信する。ユーザは、車載端末Ａ１０２に表示したい矩形画像を選択し、その配置情報を、車載端末Ａ１０２の『画面表示に必要な領域』と定義する。また、ユーザは、選択した矩形画像について、車載端末Ａ１０２の画面上の配置位置（ＡＸ，ＡＹ）を指定する。
【００２５】
ここで、『画面表示に必要な領域』に従って、携帯画面から切り出した矩形画像データが、車載端末Ａ１０２の画面に表示される場合は、その矩形画像データは車載端末Ａ１０２に『必要な画像データ』であると定義する。また、車載端末Ａの『必要な画像データ』が、車載端末Ａの画面の左上を原点とした座標値（ＡＸ，ＡＹ）に配置される場合は、『必要な画像データ』と座標値（ＡＸ，ＡＹ）を車載端末Ａの『必要な画面データ』と定義する。次に、車載端末Ｂ１０３へ携帯画面の配置情報と属性情報とを送付する。
【００２６】
さらに、ステップＳ２０３において、車載端末Ａ１０２は、走行状態・属性情報確認Ａ処理を行う。ここでは、車載端末Ａ１０２の画面に、走行中には表示してはいけない属性情報（例えば、動画）を含んでいるか否かを確認する。車載端末Ａ１０２の画面に走行中には表示してはいけない属性情報を含む場合には、『走行状態に応じて』判断する。すなわち、走行規制制御部からの走行状態が停車中の場合は、車載端末Ａ１０２の『画面表示に必要な領域である』と判断し、走行中の場合は、車載端末Ａ１０２の『画面表示に必要な領域でない』と判断する。
【００２７】
次に、ステップＳ２０４で、画像受信部Ａ２１が、走行規制制御部２７で判別した車両の走行状態に応じて、車載端末Ａ１０２及び車載端末Ｂ１０３の画面表示に必要な領域を携帯端末１０１に要求する。
【００２８】
さらに、ステップＳ２０５で、画像受信部Ａ２１が、ステップＳ１０５で携帯端末１０１より送信された画像データ受信する。そして、ステップＳ２０６で、画像受信部Ａ２１が、ステップＳ２０５で受信した画像データを車載端末Ａ１０２及び車載端末Ｂ１０３の表示領域に応じて振り分けて、それぞれ、表示メモリ部Ａ２２及びバッファメモリ部２３に書き込む。
【００２９】
次に、ステップＳ２０７で、画像表示部Ａ２４が、ステップＳ２０６で表示メモリ部Ａ２２に保存された画像データを車載端末Ａ１０２の画面に表示する。そして、ステップＳ２０８で、切取り処理部２５が、画像受信部Ａ２１が指定する領域に応じて、ステップＳ２０６で表示メモリ部Ａ２２に保存された画像データを切り取り、バッファメモリ部２３に書き込む。
【００３０】
さらに、ステップＳ２０９で、画像送信部Ａ２６が、車載端末Ｂ１０３からの画像データの要求の有無を確認し、要求がなければステップＳ２０３に戻る。一方、ステップＳ２０９で車載端末Ｂ１０３からの画像データの要求があれば、車載端末Ａ１０２は、ステップＳ２１０で走行状態・属性情報確認Ｂ処理を行う。ここでは、車載端末Ｂ１０３の画面に走行中は表示してはいけない属性情報（例えば、動画）を含むか否かを判断する。走行中は表示してはいけない属性情報を含む場合は『走行状態に応じて』判断する。すなわち、走行規制制御部からの走行状態が停車中の場合は、車載端末Ｂ１０３の『画面表示に必要な領域である』と判断し、走行中の場合は車載端末Ｂ１０３の『画面表示に必要な領域でない』と判断する。
【００３１】
そして、ステップＳ２１１で、画像送信部Ａ２６が、車載端末Ｂ１０３から要求された領域を画像受信部Ａ２１へ送信する。さらに、画像送信部Ａ２６は、ステップＳ２０６及びステップＳ２０８で書き込まれたバッファメモリ部２３に保存された画像データから、走行規制制御部２７で判別した車両の走行状態に応じて、車載端末Ｂ１０３から要求された領域の画像データを、車載端末Ｂ１０３へ送信した後、ステップＳ２０３に戻る。
【００３２】
次に、車載端末Ｂ１０３の処理について、ステップＳ３０１〜Ｓ３０５を用いて説明する。まず、ステップＳ３０１及びステップＳ３０２で、車載端末Ｂ１０３が、配置属性情報受信処理及び矩形画像選択配置処理を行う。ここでは、車載端末Ａ１０２から携帯画面の配置情報と属性情報を受信する。ユーザは、車載端末Ｂ１０３に表示したい矩形画像を選択し、その配置情報を車載端末Ｂ１０３の『画面表示に必要な領域』と定義する。
【００３３】
また、ユーザは、選択した矩形画像について、車載端末Ｂ１０３の画面上の配置位置（ＢＸ，ＢＹ）を指定する。『画面表示に必要な領域』に従って、携帯画面から切り出した矩形画像データが、車載端末Ｂ１０３の画面に表示される場合は、その矩形画像データは車載端末Ｂ１０３に『必要な画像データ』であると定義する。車載端末Ｂ１０３の『必要な画像データ』が、車載端末Ｂ１０３の画面の左上を原点とした座標値（ＢＸ，ＢＹ）に配置される場合は、『必要な画像データ』と座標値（ＢＸ，ＢＹ）を車載端末Ｂ１０３の『必要な画面データ』と定義する。
【００３４】
次に、ステップＳ３０３で、画像受信部Ｂ３１が、車載端末Ｂ１０３の画面表示に必要な領域を車載端末Ａ１０２に要求する。さらに、ステップＳ３０４で、画像受信部Ｂ３１がステップＳ２１１で車載端末Ａ１０２から送信された画像データを受信し、表示メモリ部Ｂ３２に書き込む。
【００３５】
さらに、ステップＳ３０５で、画像表示部Ｂ３３が、ステップＳ３０４で表示メモリ部Ｂ３２に保存された画像データを車載端末Ｂ１０３の画面に表示した後、ステップＳ３０３に戻る。
【００３６】
以上説明したように、本実施形態の情報表示装置によれば、携帯端末の画面を２台の車載端末の画面に分割表示する場合に、一方の車載端末が、両方の車載端末に必要な画面データを携帯端末から受け取り、他方の車載端末に必要な画像データをバッファメモリに蓄えて、他方の車載端末からの要求時に画像データを提供する。したがって、２台の車載端末の表示領域が重複する場合や表示更新間隔が非同期の場合でも、画像データの転送量を最小限に抑えることができる。さらに、一方の車載端末でまとめて走行規制処理をするので、他方の車載端末における走行規制の処理負荷を軽減することができる。
【００３７】
なお、上記実施形態の説明に用いた各機能ブロックは、典型的には集積回路であるＬＳＩとして実現される。これらは個別に１チップ化されてもよいし、一部又はすべてを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路または汎用プロセッサで実現してもよい。また、ＬＳＩの製造後にプログラムすることが可能なＦＰＧＡ（Field Programmable Gate Array）や、ＬＳＩ内部の回路セルの接続や設定を再構成可能なリコンフィギュラブル・プロセッサーを利用してもよい。さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適用などが可能性としてあり得る。
【００３８】
以上、本発明に係る情報表示装置について、実施形態に基づいて具体的に説明したが、本発明は前記の実施形態に限定されるものではなく、その要旨を逸脱しない範囲で種々の変更を行うことが可能である。
【００３９】
２０１２年３月２８日出願の特願２０１２−７４５３２の日本出願に含まれる明細書、図面及び要約書の開示内容は、すべて本願に援用される。
【産業上の利用可能性】
【００４０】
本発明の画像表示装置は、携帯端末の画面を２台の車載端末の画面に分割表示する場合に、画像データの転送量を最小限に抑え、走行規制の処理負荷を軽減することができるという効果を有しているので、車載のカーナビゲーション装置、情報端末装置、携帯用のナビゲーション装置、及び情報端末装置の設計及び製造の分野で利用が可能である。
【符号の説明】
【００４１】
１１  画像生成部
１２  表示メモリ部
１３  画像表示部
１４  画像送信部
２１  画像受信部Ａ
２２  表示メモリ部Ａ
２３  バッファメモリ部
２４  画像表示部Ａ
２５  切取り処理部
２６  画像送信部Ａ
２７  走行規制制御部
３１  画像受信部Ｂ
３２  表示メモリ部Ｂ
３３  画像表示部Ｂ
１００  情報表示装置
１０１  携帯端末
１０２  車載端末Ａ（第１の車載端末）
１０３  車載端末Ｂ（第２の車載端末）
２０１  携帯端末の表示画面
２０２  車載端末Ａの画面データ領域
２０３、２０４  車載端末Ｂの画面データ領域
３０１  車載端末Ａの表示画面
３０２  車載端末Ａの画面データ領域
３０３  車載端末Ｂの画面データ領域
４０１  車載端末Ｂの表示画面
４０２、４０３  車載端末Ｂの画像データ領域
【図１】
2013145580.tif 000003
【図２】
2013145580.tif 000004
【図３】
2013145580.tif 000005
【図４】
2013145580.tif 000006
【図５】
2013145580.tif 000007
【国際調査報告】
2013145580.tif 000008
2013145580.tif 000009
2013145580.tif 000010
2013145580.tif 000011